(57)【要約】【課題】カバーに一体形成した係止突起の端面を、誤挿入されてきたカードの挿入方向前端面を係止する係止部に形成したカードコネクタにおいて、係止突起の強度向上を図り、併せて、誤挿入されてきたカードが係止突起の下側にもぐり込まないようにする。係止突起が正規姿勢のカードの電極と短絡しないようにする。【解決手段】溝形に形成した係止突起６を、正規姿勢で挿入されたカードの電極形成領域外の片側端部に位置している溝形凹所に入り込み可能とする。係止突起６の係止部６５を傾斜面にすることにより、カード１００を押し付けても係止突起６が浮き上がらないようにする。係止部６５を、コンタクト４の配備位置の手前に位置させる。【選択図】        図１
2004335172.tif 000002
【特許請求の範囲】
【請求項１】
カードが挿抜されるカード挿入空間を形作る筐体に、上記カード挿入空間に正規姿勢で挿入された上記カードの電極に弾接するコンタクトが備わり、上記筐体がベースとこのベースに装着された板金でなるカバーとに分割され、そのカバーに、正規姿勢とは異なる姿勢で誤挿入されてきた上記カードの挿入方向前端面を係止してそのカードの挿入移動を阻止する板片状の係止突起が、上記カード挿入空間内に突出する切起し状態で折曲げ形成されていると共に、その係止突起の基部の折曲げ線がカード挿入方向に沿う方向に延びて当該係止突起の板面幅方向の後端面が上記カードの挿入方向前端面に対する係止部として形成されているカードコネクタにおいて、
上記係止突起が、上記カード挿入空間に正規姿勢で挿入されたカードの電極形成領域外の片側端部でそのカードの上記カバーとの対向面に具備された先端開放の溝形凹所に入り込み可能な突出幅寸法を有していると共に、その基部の上記折曲げ線を起点として上記カード挿入空間内に延び出た第１板片部と上記カード挿入空間内で上記第１板片部に折曲り状に連設された第２板片部とを備え、それらの第１及び第２の各板片部がカード挿入方向に沿う方向に延びていることを特徴とするカードコネクタ。
【請求項２】
上記第１板片部と上記第２板片部とがカード挿入方向に沿う方向に延びる溝形に形作られている請求項１に記載したカードコネクタ。
【請求項３】
係止突起の上記係止部が、上記折曲げ線に近い箇所ほどカード挿入方向前方側に位置する傾斜面になっている請求項１又は請求項２に記載したカードコネクタ。
【請求項４】
上記第１板片部と上記第２板片部とにより溝形に形作られた上記係止突起の上記第２板片部の外側面の少なくとも前端部に、カード挿入方向前方側に位置する箇所ほど上記第１板片部に近付く傾斜面を形成することによって、その第２板片部の板面幅方向前端がカードの上記凹所の壁面に接触しないように構成してある請求項１ないし請求項３のいずれか１項に記載したカードコネクタ。
【請求項５】
係止突起の上記係止部が、上記コンタクトの配備位置よりもカード挿入方向後方に位置している請求項１ないし請求項４のいずれか１項に記載したカードコネクタ。
【請求項６】
上記コンタクトが上記筐体の前端部で後方に向けて延び出たばね接片でなり、そのばね接片の先端にカードの面状の上記電極に乗り上がってその電極に弾接する接点が備わっている請求項５に記載したカードコネクタ。
【発明の詳細な説明】
【０００１】
【発明の属する技術分野】
本発明は、カードコネクタ、特に、筐体のカード挿入空間に正規姿勢で挿入したカードの面電極が、筐体に具備されたコンタクトに接触するようになっていて、カードを正規姿勢とは異なる姿勢で挿入したときにはそのような誤挿入が防止されるようになっているカードコネクタに関する。
【０００２】
【従来の技術】
従来、ＩＣカード用コネクタにおいて、カードの誤挿入防止対策として、筐体の金属カバーに切起し形成したストッパ片を具備させ、正規姿勢とは異なる姿勢で誤挿入されてきたカードの挿入方向前端面に、上記ストッパ片の先端を突き当てることによってカードの挿入移動を阻止するようにする技術が知られていた（特許文献１）。
【０００３】
しかし、この従来技術では、筐体に対するカード挿入方向を前方向とした場合に、金属カバーに切起し形成した上記ストッパ片が後向きに延び出ていて、そのようなストッパ片の先端に誤挿入されてきたカードの挿入方向前端面を突き当てて誤挿入を防ぐようになっている。一方、上記ＩＣカードコネクタを小型化した場合、金属カバーの板厚を薄くせざるを得ないためにその金属カバーに切起し形成したストッパ片も必然的に肉薄になる。そのために、誤挿入されたカードの挿入方向前端面がストッパ片の先端に突き当たると、そのストッパ片が座屈したり変形したりすることがある。
【０００４】
そこで、正規姿勢とは異なる姿勢で筐体に誤挿入されてきたカードの挿入方向前端面を係止してそのカードの挿入移動を阻止する平板舌片状の係止突起を筐体のカバーに切起し状態で折曲げ形成することに加えて、その係止突起の基部の折曲げ線がカード挿入方向に沿う方向に延びて当該係止突起の板面幅方向の後端面をカードの挿入方向前端面に対する係止部として形成することが行われている（特許文献２又は特許文献３参照）。
【０００５】
これによると、誤挿入されたカードの挿入方向前端面を係止部が係止したときに、カードに加わっている押込力が係止突起の板面幅方向に加わることになるので、特許文献１に見られるストッパ片に比べると、カード誤挿入に対抗する大きな強度が係止突起に付与されるようになって、それだけ係止突起が座屈したり変形したりすることが抑制される。
【０００６】
【特許文献１】
特開平１０−１８７８９６号公報
【特許文献２】
特開２００３−３１２８６号公報
【特許文献３】
特開２００３−５９５８８号公報
【０００７】
【発明が解決しようとする課題】
しかしながら、近時ではカードの小型化が顕著に促進され、それにつれて筐体のカバーも薄肉化されていることなどにより、誤挿入されてきたカードの挿入移動を阻止するための係止突起に機械構造的な強度向上対策を講じることが要求されるようになってきた。その上、カードを筐体に挿入する場合に、従来はカードを片手で押し込んでいたものが、両手を使って従来よりも大きな力で押し込むという場合も発生するようになってきた。
【０００８】
そのような状況下では、上掲の特許文献１に見られるようなストッパ片を採用してカードの後挿入を防ぐようにすると、そのストッパ片が座屈したり変形したりすることだけに止まらず、誤挿入されたカードが座屈や変形を起こしたストッパ片の下側にもぐり込んでしまって、カードやコネクタが傷損したり破損したりするというおそれがある。
【０００９】
また、特許文献２や特許文献３に見られる係止突起によってカードの後挿入を防止するようにすると、カード誤挿入に対抗する強度が特許文献１のストッパ片に比べて大きくなってその係止突起の座屈や変形が起こりにくくはなる。しかし、誤挿入されたカードに加えられる押込力がある値を越えて大きくなると、その係止突起が押込力に耐えられずに座屈や変形を起こすおそれがある。そこで、特許文献２や特許文献３のカードコネクタでは、カバーの複数箇所に上記係止突起を横に並べて切起し状態で折曲げ形成してあるけれども、そのようにすると、複数箇所の係止突起のうちのいずれかが、どうしても、正規姿勢で挿入移動されるカードの電極形成領域の通過域に位置するようになって、係止突起がカードの電極をカード挿入途中で傷付けたり両者が電気的に短絡したりするおそれがある。
そこで、このような事態を防ぐために、特許文献２では係止突起を電気絶縁性樹脂で被覆するという余分な対策を講じている。
【００１０】
さらに、特許文献２や特許文献３に見られる係止突起によってカードの後挿入を防止するようにすると、誤挿入されたカードに加えられる押込力がある値を越えて大きくなると、その係止突起の端面の係止部がカードの挿入方向前端面に対して滑るという事態が起こり、そのためにカバーの膨らみ変形を伴って係止突起が浮き上がってしまってその係止突起の下側にカードがもぐり込んでしまうという事態の起こることがある。そして、このようなカードのもぐり込みが起こると、カバーが過度に膨らみ変形してコネクタが破壊されてしまうおそれがあるという問題があった。
【００１１】
本発明は以上の状況に鑑みてなされたものである。
【００１２】
すなわち、本発明は、カバーに切起し状態で折曲げ形成した係止突起の板面幅方向の端面を係止部として形成し、誤挿入されてきたカードの挿入方向前端面をその係止部で係止させることによってカードの挿入移動を阻止させることを基本とする。そして、そのような誤挿入防止機能を持つ係止突起に容易に変形することのない機械構造的な強度向上対策を講じることにより、誤挿入されたカードが係止突起に強く押し付けられたとしても、カードの電極形成領域の通過域外に設けた係止突起によって、その係止突起の座屈や変形を伴わずに、カードの誤挿入を防止することのできるカードコネクタを提供することを目的とする。
【００１３】
また、本発明は、係止突起が、正規姿勢で挿入されてきたカードの電極を傷付けたりその電極と短絡したりするおそれのないカードコネクタを提供することを目的とする。
【００１４】
さらに、本発明は、係止突起の端面の係止部をカードの挿入方向前端面に対して滑りにくい形状に形成することによって、カードの押込力が大きくても係止突起の下側にカードがもぐり込んでしまうという事態の起こり得ないカードコネクタを提供することを目的とする。
【００１５】
さらに、本発明は、カードの押込力が大きくても係止部を浮き上がらせる力を発生させないような工夫を講じることによって、カードの押込力が大きくても係止突起の下側にカードがもぐり込んでしまうという事態の起こり得ないカードコネクタを提供することを目的とする。
【００１６】
さらに、本発明は、正規姿勢で挿入されたカードを排出するときに、係止突起がカードを傷付けるというおそれのないカードコネクタを提供することを目的とする。
【００１７】
さらに、本発明は、誤挿入されてきたカードによって筐体側のコンタクトが損壊するという事態の起こらないカードコネクタを提供することを目的とする。
【００１８】
【課題を解決するための手段】
本発明に係るカードコネクタは、カードが挿抜されるカード挿入空間を形作る筐体に、上記カード挿入空間に正規姿勢で挿入された上記カードの電極に弾接するコンタクトが備わり、上記筐体がベースとこのベースに装着された板金でなるカバーとに分割され、そのカバーに、正規姿勢とは異なる姿勢で誤挿入されてきた上記カードの挿入方向前端面を係止してそのカードの挿入移動を阻止する板片状の係止突起が、上記カード挿入空間内に突出する切起し状態で折曲げ形成されていると共に、その係止突起の基部の折曲げ線がカード挿入方向に沿う方向に延びて当該係止突起の板面幅方向の後端面が上記カードの挿入方向前端面に対する係止部として形成されている。
【００１９】
そして、上記係止突起が、上記カード挿入空間に正規姿勢で挿入されたカードの電極形成領域外の片側端部でそのカードの上記カバーとの対向面に具備された先端開放の溝形凹所に入り込み可能な突出幅寸法を有していると共に、その基部の上記折曲げ線を起点として上記カード挿入空間内に延び出た第１板片部と上記カード挿入空間内で上記第１板片部に折曲り状に連設された第２板片部とを備え、それらの第１及び第２の各板片部がカード挿入方向に沿う方向に延びている。
【００２０】
この構成であれば、係止突起の突出幅寸法が上記のように規定されているため、カードが正規姿勢で挿入されたときは、係止突起がカードの溝形凹所に入り込む。そのため、カードは、係止突起によってじゃまされることなく、カードの電極が筐体側のコンタクトに弾接する位置まで支障なく挿入される。また、係止突起は、正規姿勢で挿入されたカードの電極形成領域外の片側端部でカバーに具備された溝形凹所に入り込むようになっているので、正規姿勢で挿入されるカードの電極形成領域の通過域に係止突起が位置することがなくなる。そのため、係止突起がカードの電極をカード挿入途中で傷付けたり両者が電気的に短絡したりするおそれはない。
【００２１】
これに対し、カードが裏返し姿勢や前後逆向き姿勢で誤挿入されたときには、係止突起の係止部がカードの挿入方向前端面を係止してそのカードの挿入移動を阻止するので、カードが誤挿入されてしまうことはない。そして、係止突起が、カード挿入空間内に延び出た第１板片部と上記カード挿入空間内で上記第１板片部に折曲り状に連設された第２板片部とを備え、それらの第１及び第２の各板片部がカード挿入方向に沿う方向に延びているので、冒頭で説明した特許文献２や特許文献３に見られる平板舌片状の係止突起に比べて大きな曲げ剛性を発揮する。そのため、カードが係止突起に強く押し付けられたとしても、係止突起が座屈したり変形したりするおそれが少なくなる。
【００２２】
本発明では、上記第１板片部と上記第２板片部とがカード挿入方向に沿う方向に延びる溝形に形作られていることが望ましく、そのようになっていると、係止突起が溝形という単純形状でありながら、その係止突起に大きな曲げ剛性が付与されるようになるので、誤挿入されたカードが係止突起に強く押し付けられたとしても、係止突起が座屈したり変形したりするおそれがいっそう少なくなる。その上、係止突起が溝形であると、誤挿入されたカードの挿入方向前端面を係止したときの接触面積が、冒頭で説明した特許文献２や特許文献３に見られる平板舌片状の係止突起の場合よりも広くなってそれだけ摩擦係数が大きくなる。その結果、カードの挿入方向前端面が係止突起の係止部に対して滑って係止突起の下側にそのカードがもぐり込んでしまうという事態が起こりになくくなる。なお、係止突起の溝形には、丸みを持ったＵ字形や角張ったＵ字形のほか、Ｖ字形や山形、波形などの曲がった形状が含まれる。
【００２３】
本発明では、係止突起の上記係止部が、上記折曲げ線に近い箇所ほどカード挿入方向前方側に位置する傾斜面になっていることが望ましい。これによれば、誤挿入されたカードが係止突起に強く押し付けられたときに、係止部を浮き上がらせる力が発生しなくなり、場合によっては、係止部を下方に押し下げる力が発生するようになる。そのため、カードの押込力が大きくても係止突起の下側にカードがもぐり込んでしまうという事態が起こり得なくなる。
【００２４】
本発明では、上記第１板片部と上記第２板片部とにより溝形に形作られた上記係止突起の上記第２板片部の外側面の少なくとも前端部に、カード挿入方向前方側に位置する箇所ほど上記第１板片部に近付く傾斜面を形成することによって、その第２板片部の板面幅方向前端がカードの上記凹所の壁面に接触しないように構成してあることが望ましく、これによれば、正規姿勢で挿入されたカードを排出するときに、係止突起がカードの溝形凹所の溝壁面に引掛かってカードを傷付けるという事態が起こらない。
【００２５】
本発明では、係止突起の上記係止部が、上記コンタクトの配備位置よりもカード挿入方向後方に位置していることが望ましい。これによれば、誤挿入されてきたカードの挿入方向前端面がコンタクトに突き当たる前に、係止突起の係止部がカードの挿入方向前端面を係止してカードの挿入移動を阻止するので、誤挿入されたカードによってコンタクトが損壊するという事態が起こらない。
【００２６】
本発明では、上記コンタクトが上記筐体の前端部で後方に向けて延び出たばね接片でなり、そのばね接片の先端にカードの面状の上記電極に乗り上がってその電極に弾接する接点が備わっている、という構成を採用することができる。
【００２７】
【発明の実施の形態】
図１は本発明の実施形態に係るカードコネクタの概略斜視図、図２はカバー３を省略した上記カードコネクタに正規姿勢のカード１００が挿入された状態の概略斜視図、図３は上記カードコネクタの概略平面図、図４（Ａ）はカード１００の平面図、同図（Ｂ）はカード１００の裏面図、図５（Ａ）は図１の要部の拡大斜視図、同図（Ｂ）は係止突起１００の作用を説明するための断面図、図６（Ａ）は変形例による係止突起を示した拡大斜視図、同図（Ｂ）は（Ａ）の係止突起６の作用を説明するための断面図、図７は係止突起の別の変形例を示した斜視図である。
【００２８】
図１のカードコネクタは、合成樹脂成形体でなるベース２と板金でなるカバー３とに分割された偏平な筐体１を備え、カバー３がベース２に装着されている。そして、筐体１の内部空間がカード挿入空間とされ、筐体１の後端部にカード挿入口１２が備わっている。ベース２には、カードの幅方向両端部を案内するガイド溝２１，２１が備わっているほか、図２のように、その前端部に複数のコンタクト４が横並び状態で組み付けられたヘッド部２２を有していて、そのヘッド部２２の前側に、個々のコンタクト４に連設された半田付け端子４１が横並び状態で突出している。上記コンタクト４は、ヘッド部２２から後方に向けて延び出てカード挿入空間内に位置するばね接片でなり、そのばね接片の先端の円弧状の湾曲部４２が接点４２ａとされている。さらに、ベース２の幅方向片側にイジェクト機構５が備わり、このイジェクト機構５は、カード挿入空間に正規姿勢で挿入されたカード１００を、そのセット位置で位置決めするロック機能や、セット位置でのカード１００の位置決め状態を解除してそのカードをばね圧を利用して後方へ排出する機能などを備えている。
【００２９】
図１のように、板金でなるカバー３は、ベース２の開放された上面を覆う面板部３１を有していて、この面板部３１の前端部に係止突起６が備わっている。この係止突起６は、カバー３を形成している肉薄の板金の面板部３１の所定箇所（後述する）を切り起こすことによって形成されていて、その係止突起６の基部の折曲げ線６１が前後方向、すなわちカード挿入方向（矢印Ｉ）と平行又は略平行に延びている。
【００３０】
図５（Ａ）、図６（Ａ）、図７に係止突起６の幾つかの形状を示している。図５（Ａ）の係止突起６は、カード挿入方向Ｉに延びる前後に長い略Ｕ字状の溝形に形作られていて、上記折曲げ線６１を起点としてカード挿入空間内に延び出た第１板片部６２と、この第１板片部６２に折曲り状に連設されたＬ字形の第２板片部６３とを備え、それらの第１及び第２の板片部６２，６３がカード挿入方向に延びてそれらの幅方向が前後方向に一致している。そして、第２板片部６３の外側面の前端部には、カード挿入方向Ｉの前方側に位置する箇所ほど第１板片部６２に近付く傾斜面６４が形成されている。また、この係止突起６では、その後端面、すなわち第１板片部６２や第２板片部６３の板面幅方向（図例では前後方向）の後端面が、カード挿入空間内で垂直姿勢を保つ略Ｕ字形の係止部６５として形成されている。さらに、図例の係止突起６では、その係止部６５が、上記したどのコンタクト４の配備位置よりもカード挿入方向後方に位置している。
【００３１】
図６（Ａ）の係止突起６は、略Ｕ字形の係止部６５が、折曲げ線６１に近い箇所ほどカード挿入方向前方側に位置する傾斜面になっている点で図５（Ａ）の係止突起６と異なっているけれども、その他の点では図５（Ａ）の係止突起６と略同様であるので、同一又は相応する部分に同一符号を付してある。なお、図６（Ａ）の傾斜面でなる係止部６５において、その下端位置と上端位置との水平間隔ΔＨは０．１ｍｍ程度に定めておけばよい。すなわち、当該カードコネクタを薄形化した場合に、傾斜面でなる係止部６５の垂直面に対する勾配値はきわめて小さな値でよい。
【００３２】
図７の係止突起６は、カード挿入方向Ｉに延びる前後に長い略Ｖ字状の溝形に形作られている点、及び、傾斜面６４が備わっていない点で、図５（Ａ）の係止突起６と異なっているけれども、その他の点では図５（Ａ）の係止突起６と略同様であるので、同一又は相応する部分に同一符号を付してある。なお、この係止突起６においても、係止部６５を、図６（Ａ）の係止突起６と同様に折曲げ線６１に近い箇所ほどカード挿入方向前方側に位置する傾斜面とすることが可能である。
【００３３】
図５（Ａ）又は図６（Ａ）で説明した各係止突起６において、傾斜面６４は、第２板片部６３の肉厚を変化させることによって形成しているけれども、この点は、第２板片部６３に備わっている立上り部分の前端部を折り曲げたり湾曲状に曲げたりすることによって形成することも可能である。
【００３４】
図１のように、カバー３の面板部３１の前端部には、ベース１側に組み付けられている複数の上記コンタクト４…のそれぞれに対抗する箇所に位置する長孔状の窓３２が横並び状態で開設されており、これらの窓３２の配列でなる窓列の片側に上記係止突起６が位置している。したがって、係止突起６の形成箇所は、カード挿入空間の幅方向片側端部に近い箇所になっている。
【００３５】
次に、図２又は図４（Ａ）（Ｂ）を参照してカード１００を説明する。カード１００としては例えばＩＣカードが相当する。図例のカード１００は、平面視略矩形に形成されていて、その表面の前端部の等間隔おきに横に並んだ複数箇所に前後に長い凹所１１０が形成されていて、それぞれの凹所１１０の底面に面状電極１２０が露出している。また、これらの凹所１１０の配列でなる凹所列の片側に、先端がカード１００の前端で開放されている溝形凹所１３０が形成されている。したがって、溝形凹所１３０の形成箇所は、カード１００の幅方向片側端部に近い箇所になっている。
【００３６】
ここで、上記した係止突起６の横幅は溝形凹所１３０の横幅よりも短い。また、係止突起６は、図４（Ａ）の矢印Ｆのように、カード１００が表向きでカード１００の前端を前にしてカード挿入空間に挿入されたとき、すなわちカード１００が正規姿勢でカード挿入空間に挿入されたときには、溝形凹所１３０に無理なく入り込むように、面板部３１からの突出幅寸法が定められている。そして、筐体１のカード挿入空間にカード１００を正規姿勢で押し込んだときには、カード１００が係止突起６によってじゃまされることなく図２に示したようにセット位置まで挿入され、セット位置に挿入されたカード１００のそれぞれの面状電極１２０にそれぞれのコンタクト４が各別に乗り上がってそれらの接点４２ａが個別に各面状電極１２０に弾接する。
【００３７】
これに対し、図４（Ａ）の矢印Ｂのように、カード１００が表向きでカード１００の後端を前にしてカード挿入空間に挿入されたとき（以下では、これを「表向き後差し挿入」という）には、係止突起６の係止部６５がどのコンタクト４の配備位置よりもカード挿入方向後方に位置していて、しかも、係止突起６の配備箇所にカード１００の溝形凹所１３０が対向しないので、カード挿入空間に挿入されたカード１００がコンタクト４に当たるよりも先にカード１００の後端（挿入方向前端面）を係止突起６の係止部６５が係止するようになり、それによってカード１００の挿入移動が阻止される。
【００３８】
また、図４（Ｂ）の矢印Ｆのように、カード１００が裏向きでカード１００の前端を前にしてカード挿入空間に挿入されたとき（以下では、これを「裏向き前差し挿入」という）には、係止突起６の係止部６５がどのコンタクト４の配備位置よりもカード挿入方向後方に位置していて、しかも、係止突起６の配備箇所にカード１００の溝形凹所１３０が対向しないので、カード挿入空間に挿入されたカード１００がコンタクト４に当たるよりも先にカード１００の前端（挿入方向前端面）を係止突起６の係止部６５が係止するようになり、それによってカード１００の挿入移動が阻止される。
【００３９】
さらに、図４（Ｂ）の矢印Ｂのように、カード１００が裏向きでカード１００の後端を前にしてカード挿入空間に挿入されたとき（以下では、これを「裏向き後差し挿入」という）には、係止突起６の係止部６５がどのコンタクト４の配備位置よりもカード挿入方向後方に位置していて、しかも、係止突起６の配備箇所にカード１００の溝形凹所１３０が対向しないので、カード挿入空間に挿入されたカード１００がコンタクト４に当たるよりも先にカード１００の後端（挿入方向前端面）を係止突起６の係止部６５が係止するようになり、それによってカード１００の挿入移動が阻止される。
【００４０】
これらのことから判るように、カード１００が正規姿勢とは異なる姿勢でカード挿入空間に挿入された場合、具体的には、表向き後差し挿入、裏向き前差し挿入、裏向き後差し挿入のいずれかが行われた場合には、カード１００がコンタクト４と干渉するよりも先に、係止突起６の係止部６５がカード１００を係止してそのカードの挿入移動を阻止するので、誤挿入されたカード１００がコンタクト４と干渉してコンタクト４が損壊するという事態が起こり得ない。
【００４１】
また、カード１００が正規姿勢でカード挿入空間に挿入されてきたときには、係止突起６がカード１００の溝形凹所１３０に無理なく入り込み、しかも、その溝形凹所１３０に電極が存在していないので、係止突起６がカード１００側の面電極１２０を傷付けたりその面電極１２０と短絡するという事故の起こる余地がなく、そのために係止突起６を樹脂層などの電気絶縁層で被覆して短絡などを防いでおく必要はない。さらに、イジェクト機構５の作用でカード１００がセット位置から排出されるときには、セット位置でカード１００の溝形凹所１３０に入り込んでいる係止突起６に傾斜面６４が形成されているので、その係止突起６の前端が溝形凹所１３０の内面を掻き削って傷付けるという事態も起こらない。
【００４２】
この実施形態では、筐体１のカバー３を薄肉の板金で製作することによって当該カードコネクタの小型化薄形化を顕著に図った場合でも、誤挿入されてきたカード１００の挿入移動を阻止するための上記係止突起６が、第１板片部６２と第２板片部６３とによってカード挿入方向Ｉ（図１参照）に沿う方向に長く延びる溝形に形作られていることにより、機械構造的な強度向上効果が発揮される。すなわち、誤挿入されたカード１００の挿入方向前端面が大きな力で係止突起６の係止部６５に押し付けられた場合には、図５（Ｂ）又は図６（Ｂ）のように曲げ剛性の大きな溝形の係止突起６の長手方向にその押圧力が加わるようになるために、係止突起６が座屈したり変形したりすることなくカード１００の挿入移動を阻止する作用を発揮して誤挿入が確実に防止される。この作用は、係止突起６が図７のように略Ｖ字状の溝形に形成されている場合にも同様に発揮される。
【００４３】
その上、係止突起６が溝形であるために、誤挿入されたカード１００の挿入方向前端面を係止したときの接触面積が、冒頭で説明した特許文献２や特許文献３に見られる平板舌片状の係止突起の場合よりも広くなってそれだけ摩擦係数が大きくなる結果、カード１００の挿入方向前端面が係止突起６の係止部６１に対して滑って係止突起６の下側にそのカードがもぐり込んでしまうという事態が起こりになくくなる。特に、図５（Ａ）で説明したように、係止部６５がカード挿入空間内で垂直姿勢を保つようになっていると、その係止部６５を形成している端面がカード挿入方向に対して垂直又は略垂直になるので、カード１００の挿入方向前端面が係止突起６の係止部６１に押し付けられたときにカバー３の面板部３１を膨らませながら係止突起６を浮き上がらせるような力が発生しにくくなるので、係止突起６の下側にそのカードがもぐり込んでしまうという事態が起こりにくい。さらに、図６（Ａ）で説明したように、係止突起６の係止部６５が、折曲げ線６１に近い箇所ほどカード挿入方向前方側に位置する傾斜面になっていると、誤挿入されたカード１００が係止突起６の係止部６５に強く押し付けられたときに、カバー３の面板部３１を膨らませながら係止部６を浮き上がらせるような力がまったく発生しなくなり、場合によっては、係止部６５を下方に押し下げる力が発生するようになる。そのため、カード１００が強く押し付けられたとしても、係止突起６の下側にカード１００がもぐり込んでしまうという事態が起こり得ないという卓越した作用が発揮される。
【００４４】
【発明の効果】
以上のように、本発明に係るカードコネクタは、カバーに切起し状態で折曲げ形成した係止突起の板面幅方向の端面を係止部として形成し、誤挿入されてきたカードの挿入方向前端面をその係止部で係止させることによってカードの挿入移動を阻止させることを基本とするものでありながら、誤挿入防止機能を持つ係止突起が変形することのない機械構造的な大きな強度を有するので、誤挿入されたカードが係止突起に強く押し付けられたとしても、係止突起の座屈や変形を伴わずにカードの誤挿入が確実に防止される。そのため、カバーを肉薄の板金で製作して全体の薄形化を図る上できわめて有益である。
【００４５】
また、本発明によると、係止突起とカバーの電極との位置関係に特定することによって、正規姿勢で挿入されてきたカードの電極が係止突起によって傷付けたりその電極が係止突起と短絡するという不都合を生じなくなる。加えて、係止突起の係止部をカードの挿入方向前端面に対して滑りにくい溝形に形成してあることにより、カードの押込力が大きくても係止突起の下側にカードがもぐり込んで当該カードコネクタを損壊してしまうという事態がきわめて起こりにくい。この効果は、係止部を傾斜面に形成して係止部を浮き上がらせる力を発生させないような対策を講じることによっていっそう顕著に発揮される。
【００４６】
さらに、本発明によると、正規姿勢で挿入されたカードを排出するときに、係止突起がカードを傷付けるというおそれがなくなるという効果や、誤挿入されてきたカードによって筐体側のコンタクトが損壊するという事態の起こらないカードコネクタを提供することが可能である。
【図面の簡単な説明】
【図１】本発明の実施形態に係るカードコネクタの概略斜視図である。
【図２】カバーを図示省略したカードコネクタに正規姿勢のカードが挿入された状態の概略斜視図である。
【図３】カードコネクタの概略平面図である。
【図４】（Ａ）はカードの平面図、（Ｂ）はカードの裏面図である。
【図５】（Ａ）は図１の要部の拡大斜視図、（Ｂ）は（Ａ）の係止突起の作用を説明するための断面図である。
【図６】（Ａ）は変形例による係止突起を示した拡大斜視図、（Ｂ）は（Ａ）の係止突起６の作用を説明するための断面図である。
【図７】係止突起の別の変形例を示した斜視図である。
【符号の説明】
１  筐体
２  ベース
３  カバー
４  コンタクト
６  係止突起
４２ａ  接点
６１  折曲げ線
６２  第１板片部
６３  第２板片部
６４  傾斜面
６５  係止部
１００  カード
１２０  面電極（電極）
１３０  溝形凹所
【図１】
2004335172.tif 000003
【図２】
2004335172.tif 000004
【図３】
2004335172.tif 000005
【図４】
2004335172.tif 000006
【図５】
2004335172.tif 000007
【図６】
2004335172.tif 000008
【図７】
2004335172.tif 000009